(57)【要約】【課題】ヒートシールしても美観を損なうことがなく、ロール状に巻回した状態から円滑に繰り出すことができ、パウチ容器の製袋等に支障を及ぼすこともないリシールテープ及びそのリシールテープを使用したパウチ容器を提供する。【解決手段】パウチ容器は、袋状に形成された容器本体と、この容器本体における内容物の取出口となる部分にヒートシールされたリシールテープ２０とから構成されている。リシールテープ２０は、合成ゴム系のホットメルトタイプの粘着剤によって形成された易剥離再接着性を有する粘着層２１と、この粘着層２１を全周にわたって被覆する、低密度ポリエチレンによって形成された熱接着性を有する被覆層２２とから構成されており、被覆層２２の一方のシール面Ｓ２における粘着層２１に対応する部分には、所定の間隔を開けて長手方向に延びる、被覆層２２の厚みの１／３程度の深さを有する一対の切込２３、２３が形成されている。【選択図】        図５
2005281599.tif 000002
【特許請求の範囲】
【請求項１】
一旦開封したパウチ容器を再封するために、表裏両面が前記パウチ容器の取出口となる部分にそれぞれヒートシールされるリシールテープであって、
易剥離再接着性を有する粘着層と、
前記粘着層が露出しないように、前記粘着層を被覆する、外表面が熱接着性を有する被覆層とを備え、
前記被覆層には、いずれか一方のシール面のシール領域における幅方向の両側縁または前記シール領域の外側が、容易に破断可能に形成されていることを特徴とするリシールテープ。
【請求項２】
前記被覆層には、いずれか一方のシール面におけるシール領域を挟み込むように、前記シール領域における幅方向の両側縁または前記シール領域の外側に、一対の易破断線が形成されている請求項１に記載のリシールテープ。
【請求項３】
請求項１または２に記載のリシールテープが、内容物の取出口となる部分にヒートシールされていることを特徴とするパウチ容器。
【発明の詳細な説明】
【技術分野】
【０００１】
この発明は、一旦開封したパウチ容器を再封するために、パウチ容器の取出口となる部分にそれぞれヒートシールされるリシールテープ及びそのリシールテープを使用したパウチ容器に関する。
【背景技術】
【０００２】
再封可能な取出口を有するパウチ容器としては、例えば、図１０に示すようなものがある。このパウチ容器５０は、同図（ａ）、（ｂ）に示すように、内面が熱接着性を有するフレキシブルシートからなる包材によって形成された表裏一対の外装シート５１、５２の周縁部を相互にヒートシールすることによって袋状に形成したものであり、相互にヒートシールされた外装シート５１、５２の両側縁部には、上縁ヒートシール部分の下側に、左右一対の切込５３、５３が形成されている。従って、この切込５３をきっかけとしてパウチ容器５０を破断することによって、その上端部を切除すると、内容物の取出口が形成されるようになっている。なお、同図（ａ）における網掛け表示部分が外装シート５１、５２同士のヒートシール領域を示している。
【０００３】
また、このパウチ容器５０では、同図（ａ）、（ｂ）に示すように、内容物の取出口となる部分には、表裏一対の外装シート５１、５２の内面に、シーラント層６１、中間層６２、易剥離再接着性を有する粘着層６３及びシーラント層６４からなる４層構造のリシールテープ６０がヒートシールされており、図１１（ａ）に示すように、パウチ容器５０の上端部（同図に一点鎖線で示す部分）を切除することにより、内容物の取出口５０ａを形成した後、この取出口５０ａ部分において、リシールテープ６０を介して相互に貼着されている外装シート５１、５２を相互に離反させると、同図（ｂ）に示すように、外装シート５２にヒートシールされているシーラント層６４が粘着層６３から剥離されることによって、取出口５０ａが開放され、内容物を取り出すことができるようになっている。
【０００４】
また、このようにして、一旦開封したパウチ容器５０内に内容物が残っている場合は、同図（ｃ）に示すように、外装シート５１、５２における取出口５０ａ部分を重ね合わせると、外装シート５２にヒートシールされた状態で、粘着層６３から剥離されたシーラント層６４部分が、粘着層６３に貼着され、取出口５０ａを再び閉塞した状態に保持することができるようになっている。
【０００５】
【特許文献１】特開２００３−１３７３１４号公報
【発明の開示】
【発明が解決しようとする課題】
【０００６】
ところで、上述したようなリシールテープ６０は、シーラント層６１、中間層６２、粘着層６３及びシーラント層６４を単に積層しているだけなので、リシールテープ６０の端面には、粘着層６３が露出することになり、図１２（ａ）に示すように、リシールテープ６０を外装シート５１、５２にヒートシールするために、リシールテープ６０を外装シート５１、５２の間に挟み込んで熱圧すると、同図（ｂ）に示すように、熱によって軟化した粘着層６３が押圧されることで、リシールテープ６０の端面からはみ出してしまい、美観を損ねると共に、粘着層６３が薄くなって粘着性能（再封性能）が低下するといった問題がある。
【０００７】
また、こういったリシールテープ６０は、通常、ロール状に巻回した状態で保管することになるが、上述したように、ロール状に巻回した状態では、リシールテープ６０の端面に露出している粘着層６３同士が接触してくっついてしまい、リシールテープ６０を円滑に繰り出すことができなくなるおそれがある。
【０００８】
また、こういったリシールテープ６０は、パウチ容器５０の製袋過程において、外装シート５２を形成する長尺帯状の包材と共に送出しながら、その包材にヒートシールしていくことになるので、リシールテープ６０の端面に粘着層６３が露出していると、リシールテープ６０自体の滑りが悪くなり、パウチ容器の製袋に支障がでるおそれもある。
【０００９】
さらに、シーラント層６１、中間層６２、粘着層６３及びシーラント層６４が接着剤を介して積層されているリシールテープ６０の場合、その端面がパウチ容器５０内で露出していると、内容物が端面部分において露出している接着剤に接触することになり、衛生上好ましくないといった問題もある。
【００１０】
そこで、この発明の課題は、ヒートシールしても美観を損なうことがなく、ロール状に巻回した状態から円滑に繰り出すことができ、パウチ容器の製袋等に支障を及ぼすこともないリシールテープ及びそのリシールテープを使用したパウチ容器を提供することにある。
【課題を解決するための手段】
【００１１】
上記の課題を解決するため、請求項１にかかる発明は、一旦開封したパウチ容器を再封するために、表裏両面が前記パウチ容器の取出口となる部分にそれぞれヒートシールされるリシールテープであって、易剥離再接着性を有する粘着層と、前記粘着層が露出しないように、前記粘着層を被覆する、外表面が熱接着性を有する被覆層とを備え、前記被覆層には、いずれか一方のシール面のシール領域における幅方向の両側縁または前記シール領域の外側が、容易に破断可能に形成されていることを特徴とするリシールテープを提供するものである。
【００１２】
また、請求項２にかかる発明は、請求項１にかかる発明のリシールテープにおいて、前記被覆層には、いずれか一方のシール面におけるシール領域を挟み込むように、前記シール領域における幅方向の両側縁または前記シール領域の外側に、一対の易破断線を形成したのである。
【００１３】
また、上記の課題を解決するため、請求項３にかかる発明は、請求項１または２にかかる発明のリシールテープが、内容物の取出口となる部分にヒートシールされていることを特徴とするパウチ容器を提供するものである。
【発明の効果】
【００１４】
以上のように、請求項１、２にかかる発明のリシールテープは、粘着層を被覆する被覆層の存在によって、粘着層が露出しないようになっているので、パウチ容器の取出口となる部分にヒートシールする際、粘着層がはみ出すことがなく、こういったリシールテープがヒートシールされている請求項３にかかる発明のパウチ容器は、その美観が損なわれることがない。また、こういったリシールテープを構成している粘着層と被覆層とが接着剤を介して積層されている場合であっても、その端面がパウチ容器内に露出しないので、内容物が接着剤と接触することがなく、衛生上好ましい。
【００１５】
また、こういったリシールテープは、粘着層が露出していないので、ロール状に巻回しても、粘着層同士が接触することがなく、円滑に繰り出すことができると共に、このリシールテープを包材にヒートシールしながら、パウチ容器を製袋する場合であっても、包材と共に送出されるリシールテープの滑りが悪くなることがなく、安定してパウチ容器を製袋することができる。
【００１６】
また、請求項１にかかる発明のリシールテープを構成している被覆層には、いずれか一方のシール面のシール領域における幅方向の両側縁または前記シール領域の外側が、容易に破断可能に形成されており、請求項２にかかる発明のリシールテープを構成している被覆層には、いずれか一方のシール面におけるシール領域を挟み込むように、そのシール領域における幅方向の両側縁またはシール領域の外側に、一対の易破断線が形成されているので、こういったリシールテープがヒートシールされている請求項３にかかる発明のパウチ容器を開封すると、シール領域における幅方向の両側縁や一対の易破断線に沿って、これらのリシールテープの被覆層が容易に破断され、被覆層の一部が簡単かつ確実に剥ぎ取られるので、良好な開封性能を確保することができる。
【発明を実施するための最良の形態】
【００１７】
以下、実施の形態について図面を参照して説明する。図１〜図３に示すように、このパウチ容器１は、袋状に形成された容器本体１０と、この容器本体１０における内容物の取出口となる部分にヒートシールされたリシールテープ２０とから構成されており、容器本体１０は、図４に示すように、ポリエチレンテレフタレートフィルムによって形成された厚さ１２μｍの基材層Ｌ１、ポリアミドフィルムによって形成された厚さ２５μｍの中間層Ｌ２及びポリエチレンフィルムによって形成された厚さ４０μｍのシーラント層Ｌ３が順次積層された３層構造の包材Ｐによって形成されている。
【００１８】
前記容器本体１０は、図２及び図３に示すように、包材Ｐによって形成された、表裏一対の外装シート１１、１２及び両外装シート１１、１２の下部から内側に折り込まれてボトムガセット部を形成するガセットシート１３から構成されており、図３（ａ）、（ｂ）に示すように、折り込まれたガセットシート１３の内面の周縁が外装シート１１の内面にヒートシールされると共に、外装シート１１の内面の上縁部及び両側縁部が相互にヒートシールされることで、袋状に形成されている。なお、図３（ａ）、（ｂ）における網掛け表示部分がヒートシール領域を示している。
【００１９】
また、相互にヒートシールされた容器本体１０の上部両側縁には、上縁のヒートシール部分にかからないように、一対の切込１０ａ、１０ａが形成されており、この切込１０ａから、容器本体１０の上端部を破断することによって、このパウチ容器１を開封することができるようになっている。
【００２０】
また、内面側が外装シート１１、１２にヒートシールされたガセットシート１３は、図２及び図３（ａ）、（ｂ）に示すように、その両側縁が部分的に切除されており、その切除部１３ａにおいて、外装シート１１、１２同士がポイントシールされているので、ガセットシート１３にヒートシールされている外装シート１１、１２における両側縁の下部が開かないようになっている。
【００２１】
前記リシールテープ２０は、図５（ａ）、（ｂ）に示すように、合成ゴム系のホットメルトタイプの粘着剤によって形成された易剥離再接着性を有する粘着層２１と、この粘着層２１を全周にわたって被覆する、低密度ポリエチレンによって形成された熱接着性を有する被覆層２２とから構成されており、被覆層２２の一方のシール面Ｓ２における粘着層２１に対応する部分には、幅方向に所定の間隔を開けて長手方向に延びる、被覆層２２の厚みの１／３程度の深さを有する一対の切込２３、２３が形成されている。なお、このリシールテープ２０を構成している粘着層２１の物性を表１に、被覆層２２の物性を表２に示しておく。
【００２２】
【表１】
2005281599.tif 000003
【００２３】
【表２】
2005281599.tif 000004
【００２４】
また、このリシールテープ２０を構成している粘着層２１の寸法は、幅６〜１２ｍｍ、厚み３０〜１００μｍの範囲内で、被覆層２２の寸法は、幅（リシールテープ２０の幅）１０〜２０ｍｍ、厚み５〜３００μｍの範囲内で、適宜設定すればよく、被覆層２２の形成素材も、低密度ポリエチレン以外に、ポリプロピレン、エチレン酢酸ビニルコポリマー、エチレンコポリマー等を使用することも可能である。
【００２５】
このリシールテープ２０は、図３（ａ）、（ｂ）に示すように、切込２３、２３が形成されていないほうのシール面Ｓ１が、外装シート１１にヒートシールされ、切込２３、２３が形成されているほうのシール面Ｓ２が、外装シート１２にヒートシールされているが、シール面Ｓ１、Ｓ２の全面が、外装シート１１、１２にヒートシールされているわけではなく、図６（ａ）において網掛け表示されているように、切込２３、２３が形成されていないほうのシール面Ｓ１は、粘着層２１に対応する部分を除くように、幅方向の外側部分（切込２３、２３よりも外側部分）だけが外装シート１１にヒートシールされており、同図（ｂ）において網掛け表示されているように、切込２３、２３が形成されているほうのシール面Ｓ２は、一対の切込２３、２３の間だけが外装シート１２にヒートシールされている。
【００２６】
以上のように構成されたリシールテープ２０は、以下のようにして製造される。まず、粘着層２１を形成する粘着剤と、被覆層２２を形成するシーラント樹脂とを共押出しすることで、粘着層２１がチューブ状の被覆層２２によって被覆された２層構造の線状体を押出成形し、この線状体を一対の圧縮ローラに挟み込んで圧縮することによってテープ状に成形した後、その片面に切削加工を施すことで、一対の切込２３、２３を形成する。なお、使用する粘着剤としては、押出成形が可能な無溶剤タイプの粘着剤（例えば、合成ゴム系ホットメルト粘着剤、エチレン酢酸ビニルコポリマー系ホットメルト粘着剤、オレフィン系ホットメルト粘着剤等）を採用する必要がある。
【００２７】
このリシールテープ２０は、ロール状に巻回したテープロールの状態で取り扱われ、パウチ容器１の製袋工程において、容器本体１０にヒートシールされるが、まず、外装シート１１を形成する長尺帯状の包材Ｐを包材ロールから繰り出しながら、その包材Ｐのシーラント層Ｌ３の上に、テープロールから繰り出されたリシールテープ２０を送出し、リシールテープ２０の切込２３が形成されていないほうのシール面Ｓ１を、図６（ａ）に示すように、包材Ｐのシーラント層Ｌ３にヒートシールしていく。なお、溶融状態のリシールテープ２０を押出、圧着することで、包材Ｐに取り付けることも可能である。
【００２８】
続いて、通常のパウチ容器の場合と同様に、容器本体１０を製袋しながら、または、製袋後に、内容物を充填した後、外装シート１１、１２の上縁部分を相互にヒートシールすることによって、容器本体１０を密封する際、シール面Ｓ１が外装シート１１側にヒートシールされているリシールテープ２０における切込２３が形成されているほうのシール面Ｓ２を、同図（ｂ）に示すように、外装シート１２を形成している包材Ｐのシーラント層Ｌ３にヒートシールすると、図１（ａ）に示すようなパウチ容器１が出来上がる。
【００２９】
以上のように構成されたパウチ容器１は、切込１０ａから、上縁シール部とリシールテープ２０との間の未シール部分を破断することによって、図７（ａ）に示すように、内容物の取出口Ｍを形成した後、この取出口Ｍ部分において、外装シート１１、１２を相互に離反させると、同図（ｂ）に示すように、リシールテープ２０の被覆層２２が切込２３、２３に沿って容易に破断され、外装シート１２にヒートシールされているリシールテープ２０の被覆層２２における切込２３、２３間のシール部分が、粘着層２１から帯状に剥ぎ取られるので、図１（ｂ）に示すように、取出口Ｍが開いてパウチ容器１が開封され、内容物を取り出すことができる。
【００３０】
このようにして、パウチ容器１を一旦開封した場合であっても、取出口Ｍを閉じると、外装シート１２側にヒートシールされた状態で、リシールテープ２０から剥ぎ取られた帯状の被覆層２２部分が、外装シート１１にヒートシールされているリシールテープ２０における粘着層２１の露出部分に再び貼着され、取出口Ｍが閉じた状態に保持されるので、簡単に再封することができる。
【００３１】
以上のように、このパウチ容器１に使用されているリシールテープ２０は、ロール状に巻回したテープロールの状態で取り扱われるが、粘着層２１が被覆層２２によって完全に覆われているので、ロール状に巻回しても、粘着層２１同士が接触することがなく、テープロールからリシールテープ２０を円滑かつ確実に繰り出すことができると共に、上述したように、このリシールテープ２０を包材Ｐにヒートシールしながら、容器本体１０を製袋する場合であっても、包材Ｐと共に送出されるリシールテープ２０の滑りが悪くなることがなく、安定して容器本体１０を製袋することができる。
【００３２】
また、リシールテープ２０を、外装シート１１、１２を形成する包材Ｐにヒートシールする際は、包材Ｐに重ね合わせたリシールテープ２０がシールローラ等によって熱圧されることになるが、上述したように、このリシールテープ２０は、粘着層２１が被覆層２２によって完全に覆われているので、熱によって軟化した粘着層２１が外部にはみ出すことがなく、端面に粘着層が露出している従来のリシールテープを採用する場合に比べて、きれいにヒートシールすることができ、パウチ容器１の美観が損なわれることがない。
【００３３】
また、このリシールテープ２０を構成している被覆層２２には、一方のシール面Ｓ２のシール領域における幅方向の両側縁に、一対の切込２３、２３が形成されているので、このリシールテープ２０がヒートシールされているパウチ容器１を開封すると、一対の切込２３、２３に沿って、このリシールテープ２０の被覆層２２が容易に破断され、被覆層２２における一対の切込２３、２３に挟まれたシール部分が簡単かつ確実に剥ぎ取られるので、良好な開封性能を確保することができる。
【００３４】
なお、上述した実施形態では、リシールテープ２０の一方のシール面Ｓ２のシール領域における幅方向の両側縁に、一対の切込２３、２３が形成されているが、これに限定されるものではなく、シール領域の両側縁と切込との間にわずかな間隔が形成されるように、一対の切込の内側にシール領域を設定することも可能である。
【００３５】
また、上述した実施形態では、一対の切込２３、２３の内側だけをヒートシールしているが、これに限定されるものではなく、切込が形成されているシール面の全面をヒートシールすることも可能である。ただし、その場合は、パウチ容器を開封する際、一対の切込の内側の被覆層が帯状に剥ぎ取られるように、一対の切込の内側のシール強度を、一対の切込の外側のシール強度より大きくしておく必要がある。
【００３６】
また、上述した実施形態では、シーラント樹脂によって形成された単層構造の被覆層２２によって粘着層２１が被覆されたリシールテープ２０を採用しているが、これに限定されるものではなく、最外層が熱接着性を有するのであれば、被覆層が複層構造のリシールテープを採用することも可能である。
【００３７】
また、上述した実施形態では、粘着剤とシーラント樹脂とを共押出しすることで、粘着層２１がチューブ状の被覆層２２によって被覆されたリシールテープ２０を採用しているが、これに限定されるものではなく、図８に示すように、粘着層２１を、一対の被覆層２２ａ、２２ｂによって挟み込み、一対の被覆層２２ａ、２２ｂの幅方向の両側縁同士を相互にヒートシールしたリシールテープ２０ａを採用することも可能である。この場合の、被覆層２２ａ、２２ｂとしては、例えば、低密度ポリエチレン、直鎖状低密度ポリエチレン等のポリオレフィン系樹脂からなる単層フィルムや、低密度ポリエチレン、直鎖状低密度ポリエチレン等のポリオレフィン系樹脂からなる外層に、ポリオレフィン系、ポリエステル系、ポリアミド系のヒートシール性を有する樹脂からなる外層よりも低融点の内層が積層された複層フィルム等を使用することができる。
【００３８】
また、上述した実施形態では、易破断線として、一方のシール面Ｓ２に一対の切込２３、２３が形成されたリシールテープ２０を採用しているが、これに限定されるものではなく、例えば、図９（ａ）に示すように、切込２３、２３に代えて切目２３ａ、２３ａを形成したり、同図（ｂ）に示すように、被覆層２２を押出成形する際、切込２３、２３に対応する位置に薄肉部２３ｂ、２３ｂを形成することも可能である。
【００３９】
また、被覆層２２を、破断強度の弱い樹脂（例えば、ポリオレフィンにスチレンや微粒子等をブレンドした樹脂等）によって形成した場合は、例えば、シール面Ｓ１の略全面をヒートシールすると共に、シール面Ｓ２の幅方向の中央部を所定幅でヒートシールしておくと、パウチ容器に取出口を形成する際、シール面Ｓ２における幅狭のシール領域の両側縁で被覆層２２が容易に破断されるので、切込２３、２３等からなる易破断線を必ずしも形成する必要はなく、シール面Ｓ１側とシール面Ｓ２側とが異なる樹脂等によって形成された被覆層を採用してもよい。
【００４０】
また、上述した実施形態は、ボトムガセットタイプの自立可能なパウチ容器であるが、これに限定されるものではなく、ボトムガセット部を備えていない自立性のない平袋タイプのパウチ容器についても適用することができることはいうまでもなく、さらに、ピロー包装体の合掌貼り部分を再封可能に形成する場合にも本発明を適用することができる。
【図面の簡単な説明】
【００４１】
【図１】（ａ）はこの発明にかかるパウチ容器の一実施形態を示す斜視図、（ｂ）は同上のパウチ容器を開封した状態を示す斜視図である。
【図２】同上のパウチ容器を扁平に折り畳んだ状態を示す平面図である。
【図３】（ａ）は同上のパウチ容器における一方の外装シートを取り除いた状態を示す平面図、（ｂ）は同上のパウチ容器における他方の外装シートを取り除いた状態を示す平面図である。
【図４】同上のパウチ容器の外装シート及びガセットシートを形成している包材を示す断面図である。
【図５】（ａ）は同上のパウチ容器に使用されているリシールテープを示す斜視図、（ｂ）は同上のリシールテープを示す断面図である。
【図６】（ａ）、（ｂ）は同上のリシールテープのシール面におけるシール領域を説明するための説明図である。
【図７】（ａ）は同上のパウチ容器に取出口を形成した状態を示す断面図、（ｂ）は同上のパウチ容器を開封した状態を示す断面図である。
【図８】他の実施形態であるリシールテープを示す断面図である。
【図９】（ａ）、（ｂ）は他の実施形態であるリシールテープを示す断面図である。
【図１０】（ａ）は従来のパウチ容器を扁平に折り畳んだ状態を示す平面図、（ｂ）は同上のパウチ容器を示す部分断面図である。
【図１１】（ａ）〜（ｃ）は、同上のパウチ容器の開封操作を説明するための説明図である。
【図１２】（ａ）、（ｂ）は同上のパウチ容器に使用されているリシールテープの問題点を説明するための説明図である。
【符号の説明】
【００４２】
１  パウチ容器
１０  容器本体
１０ａ  切込
１１、１２  外装シート
１３  ガセットシート
１３ａ  切除部
２０、２０ａ  リシールテープ
２１  粘着層
２２  被覆層
２３  切込
Ｍ  取出口
Ｐ  包材
Ｌ１  基材層
Ｌ２  中間層
Ｌ３  シーラント層
Ｓ１、Ｓ２  シール面
【図１】
2005281599.tif 000005
【図２】
2005281599.tif 000006
【図３】
2005281599.tif 000007
【図４】
2005281599.tif 000008
【図５】
2005281599.tif 000009
【図６】
2005281599.tif 000010
【図７】
2005281599.tif 000011
【図８】
2005281599.tif 000012
【図９】
2005281599.tif 000013
【図１０】
2005281599.tif 000014
【図１１】
2005281599.tif 000015
【図１２】
2005281599.tif 000016